(57)【要約】      （修正有）【課題】吸着力が自在に調整できる吸盤装置を提供する。【解決手段】可撓性材料により、扁平状に形成された吸盤ユニット３０と、雄ねじ付きの円柱状に形成され、且つ、吸盤ユニットの背面の中央あたりに立設されている調整棒３３と、中心に通孔を有する板状体の周縁にフェンスがその一側に突出する皿形であって、板状体のフェンスが突出する一面が吸盤ユニットの背面に面し、且つ、調整棒が通孔を経由して板状体の他面から露出する本体ユニット２０と、中心に調整棒の雄ねじと噛み合える雌ねじを有するねじ孔が形成される上、調整棒のねじ込みによって該調整棒に貫通されながら本体ユニットの他面に当接しており、且つ、本体ユニットのフェンスが吸盤ユニットの周縁部分に固定される状態において、ねじ込みを行う方向への回転で調整棒を吸盤ユニット側から本体ユニット側へ引っ張ることができる調整ユニット４０とを備える。【選択図】図１
0003165419.tif 000002
【実用新案登録請求の範囲】
【請求項１】
可撓性材料により、正面と背面を有する扁平状に形成された吸盤ユニットと、
雄ねじ付きの円柱状に形成され、且つ、前記背面の中央あたりに立設されている調整棒と、
中心に通孔を有する板状体の周縁にフェンスがその一側に突出している皿形であって、前記板状体の前記フェンスが突出している一面が前記吸盤ユニットの背面に面し、且つ、前記調整棒が前記通孔を経由して前記板状体の他面から露出している本体ユニットと、
中心に前記調整棒の雄ねじと噛み合える雌ねじを有するねじ孔が形成されている上、前記調整棒のねじ込みによって該調整棒に貫通されながら前記本体ユニットの前記他面に当接しており、且つ、前記本体ユニットの前記フェンスが前記吸盤ユニットの周縁部分に固定されている状態において、前記ねじ込みを行う方向への回転で前記調整棒を前記吸盤ユニット側から前記本体ユニット側へ引っ張ることができる調整ユニットと、を備えていることを特徴とする吸盤装置。
【請求項２】
前記通孔と前記ねじ孔と前記調整棒とは、軸線が互いに重なるように配置されており、
前記吸盤ユニットと前記本体ユニットと前記調整ユニットとは、全て円形周縁を有する扁平状に形成されていると共に、それらの円心も全て前記重なっている軸線上にあるように配置されていることを特徴とする、請求項１に記載の吸盤装置。
【請求項３】
前記調整棒は、一端が前記吸盤ユニットに埋設されており、他端にフックが設けられていることを特徴とする、請求項２に記載の吸盤装置。
【請求項４】
前記調整ユニットには、回されやすい撮みが設置されていることを特徴とする、請求項２に記載の吸盤装置。
【請求項５】
前記本体ユニットは、前記吸盤ユニットの前記正面が被吸着面に当たった場合、前記調整ユニットの調整によりその前記フェンスの先端縁で前記吸盤ユニットの周縁に当接してそこに固定され得るように構成されていることを特徴とする、請求項１に記載の吸盤装置。
【請求項６】
前記吸盤ユニットは、前記本体ユニットの前記フェンス内に内嵌するように固定されており、
また、前記本体ユニットは、更に、前記フェンスの先端縁で被吸着面と当たって密着することができるように構成されていることを特徴とする、請求項１に記載の吸盤装置。
【考案の詳細な説明】
【技術分野】
【０００１】
本考案は吸盤装置に関し、特に、その吸着力が自在に調整できる吸盤装置に関する。
【背景技術】
【０００２】
従来の吸盤装置は、ゴムなどの弾力性を有する材料により皿のような形状に作製されたもので、使用時に対象物にそれを伏せる姿勢で押しつけることで、それと対象物との間にある空気を逃し、そして押力をリリーズしてその弾性により元の形状に戻らせると、それと対象物との間の空間が気圧の低い状態になり外の大気圧との差が生じて対象物に張り付くことができ、この機能を利用して壁を傷つけずに様々なものを壁に吊掛することができる。
【０００３】
ところで、特許文献１には、図８に示されている構成を有し、即ち、歯車１５のレバー１５３による回転でラッカ１４を左右移動させ、該左右移動により、吸着対象物とぴったり当接している吸盤１３の中心部を吸着対象物１から引き離して吸盤１３と吸着対象物１との間に真空を作り出すことができるように構成されている吸盤装置が提案されている。
【先行技術文献】
【特許文献】
【０００４】
【特許文献１】台湾特許出願９７２１８７２５号明細書
【考案の概要】
【考案が解決しようとする課題】
【０００５】
しかし、前記特許文献１に記載されている吸盤装置では、レバー１５３が水平に置かれる無吸着状態（図示せず）と、レバー１５３が図示のように垂直に置かれる吸着状態との２種類の状態にしか作動されず、吸着力が必要に応じ調整することができない。
【０００６】
そのため、本考案は、前記問題点に鑑みてなされたもので、吸着力が自在に調整できる吸盤装置の提供を目的とする。
【課題を解決するための手段】
【０００７】
上記目的を達成すべく、本考案は、可撓性材料により、正面と背面を有する扁平状に形成された吸盤ユニットと、雄ねじ付きの円柱状に形成され、且つ、前記背面の中央あたりに立設されている調整棒と、中心に通孔を有する板状体の周縁にフェンスがその一側に突出している皿形であって、前記板状体の前記フェンスが突出している一面が前記吸盤ユニットの背面に面し、且つ、前記調整棒が前記通孔を経由して前記板状体の他面から露出している本体ユニットと、中心に前記調整棒の雄ねじと噛み合える雌ねじを有するねじ孔が形成されている上、前記調整棒のねじ込みによって該調整棒に貫通されながら、前記本体ユニットの前記他面に当接しており、且つ、前記本体ユニットの前記フェンスが前記吸盤ユニットの周縁部分に固定されている状態において、前記ねじ込みを行う方向への回転で前記調整棒を前記吸盤ユニット側から前記本体ユニット側へ移動させることができる調整ユニットと、を備えていることを特徴とする吸盤装置を提供する。
【０００８】
前記吸盤装置は、その前記本体ユニットを、前記吸盤ユニットの前記正面が被吸着面に当たった場合、前記調整ユニットの調整によりその前記フェンスの先端縁で前記吸盤ユニットの周縁に当接してそこに固定され得るように構成しても良く（実施形態一）、前記吸盤ユニットを、前記本体ユニットの前記フェンス内に内嵌するように固定されるように構成し、また、前記本体ユニットを更に、前記フェンスの先端縁で被吸着面と当たって密着することができるように構成しても良い。
【考案の効果】
【０００９】
上記構成による吸盤装置をある平面に当ててから、前記調整ユニットを前記調整棒に沿って前記本体ユニットの方へ移動するように回転させると、該調整ユニットは、前記本体ユニットの前記他面に当接して該本体ユニットを前記吸盤ユニットの方へ押圧しながら前記吸盤ユニットの中心あたりを前記調整棒を介して反対方向へ引っ張ることできる。
【００１０】
この場合、第一の実施形態では、前記平面に当たるのが、前記吸盤ユニットの周縁であるので、前記吸盤ユニットと前記平面との間には真空空間がなり、吸盤装置の前記平面に対する吸着性が造り出される。
【００１１】
また、第二の実施形態では、前記平面に当たるのが、前記本体ユニットにおける前記フェンスの先端縁であるので、前記本体ユニットにおける前記フェンスと前記吸盤ユニットと前記平面とからなる空間は、真空状態になり、吸盤装置の前記平面に対する吸着性が造り出される。
【００１２】
なお、前記第一及び第二の実施形態のいずれの吸着性も前記調整ユニットへの回転操作により調整される。
【図面の簡単な説明】
【００１３】
【図１】本考案の吸盤装置の第１の実施形態の構成が示されている分解図である。
【図２】本考案の吸盤装置の第１の実施形態の構成が示されている断面図である。
【図３】本考案の吸盤装置の第１の実施形態の構成が示されている背面図である。
【図４】本考案の吸盤装置の第１の実施形態の使用方向が示されている断面図である。
【図５】本考案の吸盤装置の第１の実施形態の使用方向が示されている断面図である。
【図６】本考案の吸盤装置の第２の実施形態の構成が示されている分解図である。
【図７】本考案の吸盤装置の第２の実施形態の使用方向が示されている断面図である。
【図８】従来の吸盤装置の構成例が示されている断面図である。
【考案を実施するための形態】
【００１４】
以下は図１〜図５を参照しながら、本考案の第１の好ましい実施形態について説明する。図１〜図５に示されるように、本考案の吸盤装置は、主に吸盤ユニット３０と、調整棒３３と、本体ユニット２０と、調整ユニット４０とを備えている。
【００１５】
吸盤ユニット３０は、正面３１と背面３２を有するように、可撓性材料により扁平状に作成されたものである。調整棒３３は雄ねじ３３１を有する円柱状に形成されていると共に、吸盤ユニット３０の背面３２の中央あたりに立設されている。調整棒３３は、一端が吸盤ユニット３０に埋設され、他端に物体１００（図中は錘りを画いて表す）を吊掛するためのフック５０が設けられている。
【００１６】
本体ユニット２０は、中心に通孔２１４を有する板状体２１２の周縁に、フェンス２１３がその一側（図中の左上側）に突出している皿形に形成されており、板状体２１２のフェンス２１３が突出している一面が吸盤ユニット３０の背面３２に面し、且つ、調整棒３３が通孔２１４を経由して板状体２１２の他面２１５から露出している。
【００１７】
調整ユニット４０は、中心に調整棒３３の雄ねじ３３１と噛み合える雌ねじ４１５を有するねじ孔４１１が形成されていると共に、該ねじ孔４１５が調整棒３３のねじ込みによって調整棒３３に貫通されている。この調整ユニット４０は、前記ねじ込みによる貫通操作に対応して調整棒３３に沿って前記本体ユニットの方へ移動するように回転されると、本体ユニット２０の他面２１５に当接して本体ユニット２０を吸盤ユニット３０の方へ押圧し、本体ユニット２０におけるフェンス２１３の先端縁を吸盤ユニット４０の周縁に当接させてそこに一時的に固定することができる。更に、調整ユニット４０には、前記ねじ込みによる貫通操作を行うための回されやすい撮み４１３が設置されている。
【００１８】
通孔２１４とねじ孔４１１と調整棒３３とは、軸線Ｌが互いに重なるように配置されており、吸盤ユニット３０と本体ユニット２０と調整ユニット４０とは、全て円形周縁を有する扁平状に形成されていると共に、それらの円心も全て前記重なっている軸線Ｌ上にあるように配置されている。
【００１９】
この構成により、本考案の吸盤装置は、吸盤ユニット３０の正面３１がを被吸着面としての壁面１０などに密接的に当てながら、フック５０に吊掛される物体１００の重さに対応し、撮み４１３を介して調整ユニット４０を回すことで吸盤ユニット３０と壁面などとの間に生じる空間の真空度を調整することができる。
【００２０】
次いで、図６、図７を用いて本考案の第２の好ましい実施形態について説明する。図示されているように、この実施形態の吸盤装置は第１の実施形態と同じく吸盤ユニット７０と、調整棒７２と、本体ユニット６０と、調整ユニット８０とを備えている。
【００２１】
この実施形態における本体ユニット６０は、そのフェンス６１０が第１の実施形態より長く形成されている上、該フェンス６１０の先端縁で被吸着面と当たって密着することができるように構成されており、吸盤ユニット７０は、フェンス６１０内に内嵌するように固定されていると共に、フェンス６１０の内側の空間を第１の空間６１１と第２の空間６１２とに分けている。
【００２２】
この実施形態では、図２に示されているように、フェンス６１０の先端縁を被吸着面としての人体２などに密接的に当てながら調整ユニット８０を回すことによって、調整棒７２及び吸盤ユニット７０の中間あたりを調整ユニット８０側、即ち図中の上方側に引き上げて第２の空間６１２の圧力を下げて吸着力を発生させることができる。この第２の実施形態の構成は、民間療法の缶抜きなどに応用することができる。
【符号の説明】
【００２３】
１０…壁面、２…人体、２０…本体ユニット、２１２…板状体、２１３…フェンス、２１４…通孔、２１５…他面、３０…吸盤ユニット、３０…吸盤ユニット、３１…正面、３２…背面、３３…調整棒、３３１…雄ねじ、４０…調整ユニット、４１１…ねじ孔、４１３…撮み、４１５…雌ねじ、５０…フック、６０…本体ユニット、６１０…フェンス、６１１…第１の空間、６１２…第２の空間、７０…吸盤ユニット、７２…調整棒、８０…調整ユニット。
【図１】
0003165419.tif 000003
【図２】
0003165419.tif 000004
【図３】
0003165419.tif 000005
【図４】
0003165419.tif 000006
【図５】
0003165419.tif 000007
【図６】
0003165419.tif 000008
【図７】
0003165419.tif 000009
【図８】
0003165419.tif 000010